(57)【要約】【課題】設定しようとしている項目に関連する設定項目の検索を容易とする。【解決手段】表示管理部１０３により、表示部１１１に対して各種設定に関わる第１の設定項目（第１下層設定メニュー）と該第１の設定項目（第１下層設定メニュー）に関連する詳細設定メニュー（第２下層設定メニュー）とが表示され、操作受付部１０４により、第１の設定項目又は詳細設定メニューの操作を受け付けられ、操作迷い検知部１０５により、詳細設定メニューでの設定が行われず、第１の設定項目に戻ったことを確認することで第１の設定項目の操作の迷いが検知されると、表示管理部１０３により、操作迷い検知部１０５による第１の設定項目の操作の迷いの検知結果に基づき、操作受付部１０４によって受け付けられた第１の設定項目と、該第１の設定項目に関連する第２の設定項目とが表示部１１１に表示される。【選択図】図１
2016035648.tif 000002
【特許請求の範囲】
【請求項１】
表示部と、
前記表示部に対して各種設定に関わる第１の設定項目と該第１の設定項目に関連する詳細設定メニューとを表示させる表示管理部と、
前記第１の設定項目又は前記詳細設定メニューの操作を受け付ける操作受付部と、
前記詳細設定メニューでの設定が行われず、前記第１の設定項目に戻ったことを確認することで前記第１の設定項目の操作の迷いを検知する操作迷い検知部とを備え、
前記表示管理部は、前記操作迷い検知部による前記第１の設定項目の操作の迷いの検知結果に基づき、前記操作受付部によって受け付けられた第１の設定項目と、該第１の設定項目に関連する第２の設定項目とを前記表示部に表示させる
ことを特徴とする電子機器。
【請求項２】
前記第１又は第２の設定項目である機能設定に関連する第１下層設定メニューと、前記詳細設定メニューである第２下層設定メニューと、前記第１下層設定メニューの属性とを管理する設定情報管理部を備え、
前記設定情報管理部は、前記操作迷い検知部による検知結果に基づき、前記操作受付部によって受け付けられた前記第１下層設定メニューと同じ属性を有する他の前記第１下層設定メニューを検索し、
前記表示管理部は、前記操作受付部によって受け付けられた前記第１下層設定メニューと、該第１下層設定メニューと同じ属性を有する他の前記第１下層設定メニューとを前記表示部に表示させる
ことを特徴とする請求項１に記載の電子機器。
【請求項３】
前記表示管理部は、前記第１の設定項目に関連する前記第２の設定項目を、前記第１の設定項目に対して上方又は左方に表示させることを特徴とする請求項１又は２に記載の電子機器。
【請求項４】
表示部を介して各種設定情報を提供する電子機器を制御するためのコンピューターにより実行される情報提供プログラムであって、
表示管理部により、前記表示部に対して各種設定に関わる第１の設定項目と該第１の設定項目に関連する詳細設定メニューとを表示させる工程と、
操作受付部により、前記第１の設定項目又は前記詳細設定メニューの操作を受け付ける工程と、
操作迷い検知部により、前記詳細設定メニューでの設定が行われず、前記第１の設定項目に戻ったことを確認することで前記第１の設定項目の操作の迷いを検知する工程と、
前記表示管理部により、前記操作迷い検知部による前記第１の設定項目の操作の迷いの検知結果に基づき、前記操作受付部によって受け付けられた第１の設定項目と、該第１の設定項目に関連する第２の設定項目とを前記表示部に表示させる工程とを前記コンピューターに実行させる
ことを特徴とする情報提供プログラム。
【請求項５】
設定情報管理部により、前記第１又は第２の設定項目である機能設定に関連する第１下層設定メニューと、前記詳細設定メニューである第２下層設定メニューと、前記第１下層設定メニューの属性とを管理する工程と、
前記設定情報管理部により、前記操作迷い検知部による検知結果に基づき、前記操作受付部によって受け付けられた前記第１下層設定メニューと同じ属性を有する他の前記第１下層設定メニューを検索する工程と、
前記表示管理部により、前記操作受付部によって受け付けられた前記第１下層設定メニューと、該第１下層設定メニューと同じ属性を有する他の前記第１下層設定メニューとを前記表示部に表示させる工程とを前記コンピューターに実行させる
ことを特徴とする請求項４に記載の情報提供プログラム。
【請求項６】
前記表示管理部により、前記第１の設定項目に関連する前記第２の設定項目を、前記第１の設定項目に対して上方又は左方に表示させる工程を前記コンピューターに実行させることを特徴とする請求項１又は２に記載の情報提供プログラム。
【発明の詳細な説明】
【技術分野】
【０００１】
本発明は、機器使用に関するユーザーの操作のアシストに適した電子機器及び情報提供プログラムに関する。
【背景技術】
【０００２】
たとえば、プリンター、多機能プリンター、複合機などのＭＦＰ（Ｍｕｌｔｉｆｕｎｃｔｉｏｎ  Ｐｅｒｉｐｈｅｒａｌ）である画像形成装置において、文書の印刷などに関わる設定操作などに不慣れな場合、手間取ることがある。
【０００３】
このような操作に不慣れなユーザーに対しアシストするものとして、特許文献１では、操作手順をガイダンスするようにしたガイダンス表示装置を提案している。これは、コマンド実行に至るまでのユーザー操作系列と、当該コマンドを実行する際の最短操作系列とから算出した乖離度が特定の値より大きい場合、ユーザーが操作に迷ったと判定し、ユーザー操作系列と迷い操作系列とから類似度が大きいと判定された迷い操作系列に対応する実行コマンドを予測コマンドとして抽出し、予測コマンドに対応する操作系列を示すガイダンス情報を表示させるようにしたものである。
【先行技術文献】
【特許文献】
【０００４】
【特許文献１】特開２００８−００９６１３
【発明の概要】
【発明が解決しようとする課題】
【０００５】
上述した特許文献１でのガイダンス表示装置では、ユーザーが陥っている状況に応じて、コマンド実行に至るまでの操作手順をガイダンスすることができるため、設定操作に不慣れなユーザーであってもガイダンス情報を確認しながら操作することができる。
【０００６】
ところが、このようなガイダンス表示装置でのガイダンス情報は、設定しようとしている項目に対してのみであり、設定しようとしている項目に関連するガイダンス情報の表示は行われない。そのため、設定しようとしている項目に関連する設定項目を探しているユーザーにとってはやはり設定に手間取ってしまうという問題があった。
【０００７】
本発明は、このような状況に鑑みてなされたものであり、上記問題点を解消することができる電子機器及び情報提供プログラムを提供することを目的とする。
【課題を解決するための手段】
【０００８】
本発明の電子機器は、表示部と、前記表示部に対して各種設定に関わる第１の設定項目と該第１の設定項目に関連する詳細設定メニューとを表示させる表示管理部と、前記第１の設定項目又は前記詳細設定メニューの操作を受け付ける操作受付部と、前記詳細設定メニューでの設定が行われず、前記第１の設定項目に戻ったことを確認することで前記第１の設定項目の操作の迷いを検知する操作迷い検知部とを備え、前記表示管理部は、前記操作迷い検知部による前記第１の設定項目の操作の迷いの検知結果に基づき、前記操作受付部によって受け付けられた第１の設定項目と、該第１の設定項目に関連する第２の設定項目とを前記表示部に表示させることを特徴とする。
また、前記第１又は第２の設定項目である機能設定に関連する第１下層設定メニューと、前記詳細設定メニューである第２下層設定メニューと、前記第１下層設定メニューの属性とを管理する設定情報管理部を備え、前記設定情報管理部は、前記操作迷い検知部による検知結果に基づき、前記操作受付部によって受け付けられた前記第１下層設定メニューと同じ属性を有する他の前記第１下層設定メニューを検索し、前記表示管理部は、前記操作受付部によって受け付けられた前記第１下層設定メニューと、該第１下層設定メニューと同じ属性を有する他の前記第１下層設定メニューとを前記表示部に表示させることを特徴とする。
また、前記表示管理部は、前記第１の設定項目に関連する前記第２の設定項目を、前記第１の設定項目に対して上方又は左方に表示させることを特徴とする。
本発明の情報提供プログラムは、表示部を介して各種設定情報を提供する電子機器を制御するためのコンピューターにより実行される情報提供プログラムであって、表示管理部により、前記表示部に対して各種設定に関わる第１の設定項目と該第１の設定項目に関連する詳細設定メニューとを表示させる工程と、操作受付部により、前記第１の設定項目又は前記詳細設定メニューの操作を受け付ける工程と、操作迷い検知部により、前記詳細設定メニューでの設定が行われず、前記第１の設定項目に戻ったことを確認することで前記第１の設定項目の操作の迷いを検知する工程と、前記表示管理部により、前記操作迷い検知部による前記第１の設定項目の操作の迷いの検知結果に基づき、前記操作受付部によって受け付けられた第１の設定項目と、該第１の設定項目に関連する第２の設定項目とを前記表示部に表示させる工程とを前記コンピューターに実行させることを特徴とする。
また、設定情報管理部により、前記第１又は第２の設定項目である機能設定に関連する第１下層設定メニューと、前記詳細設定メニューである第２下層設定メニューと、前記第１下層設定メニューの属性とを管理する工程と、前記設定情報管理部により、前記操作迷い検知部による検知結果に基づき、前記操作受付部によって受け付けられた前記第１下層設定メニューと同じ属性を有する他の前記第１下層設定メニューを検索する工程と、前記表示管理部により、前記操作受付部によって受け付けられた前記第１下層設定メニューと、該第１下層設定メニューと同じ属性を有する他の前記第１下層設定メニューとを前記表示部に表示させる工程とを前記コンピューターに実行させることを特徴とする。
また、前記表示管理部により、前記第１の設定項目に関連する前記第２の設定項目を、前記第１の設定項目に対して上方又は左方に表示させる工程を前記コンピューターに実行させることを特徴とする。
本発明の電子機器及び情報提供プログラムでは、表示管理部が表示部に対して各種設定に関わる第１の設定項目と該第１の設定項目に関連する詳細設定メニューとを表示させ、操作受付部が第１の設定項目又は詳細設定メニューの操作を受け付け、操作迷い検知部が詳細設定メニューでの設定が行われず、第１の設定項目に戻ったことを確認することで第１の設定項目の操作の迷いを検知すると、表示管理部が操作迷い検知部による第１の設定項目の操作の迷いの検知結果に基づき、操作受付部が受け付けた第１の設定項目と、該第１の設定項目に関連する第２の設定項目とを表示部に表示させる。
これにより、設定しようとしている項目に関連する設定項目の検索が容易となる。
【発明の効果】
【０００９】
本発明の電子機器及び情報提供プログラムによれば、設定しようとしている項目に関連する設定項目の検索が容易となることから、設定に手間取ってしまうことを解消することができる。
【図面の簡単な説明】
【００１０】
【図１】本発明の電子機器を画像形成装置に適用した場合の一実施形態を説明するための図である。
【図２】図１の表示管理部による表示部に表示される設定画面について説明するための図である。
【図３】図１の設定情報管理部によって管理される、機能設定に関連する第１下層設定メニューと、第１下層設定メニューに関連する第２下層設定メニューと、第１下層設定メニューの属性について説明するための図である。
【図４】図１の操作迷い検知部により、ユーザーによる操作の迷いが検知された場合の表示管理部による表示部に表示される設定画面について説明するための図である。
【図５】図１の画像形成装置による表示処理について説明するためのフローチャートである。
【発明を実施するための最良の形態】
【００１１】
以下、本発明の電子機器の一実施形態を、図１〜図５を参照しながら説明する。なお、以下に説明する電子機器は、プリンター、多機能プリンター、複合機などのＭＦＰ（Ｍｕｌｔｉｆｕｎｃｔｉｏｎ  Ｐｅｒｉｐｈｅｒａｌ）である画像形成装置であるものとする。
【００１２】
まず、図１に示すように、画像形成装置１００は、制御部１０１、操作部１１０、表示部１１１、スキャナー部１１２、プリンター部１１３、ＦＡＸ部１１４、Ｉ／Ｆ（インターフェース）１１５を備えている。制御部１０１は、図示しないＲＯＭ内のプログラムに基づき、画像形成装置１００全体の動作を制御するものであり、通信管理部１０２、表示管理部１０３、操作受付部１０４、操作迷い検知部１０５、設定情報管理部１０６、画像形成部１０７、メモリー１０８を備えている。
【００１３】
通信管理部１０２は、Ｉ／Ｆ１１５を介して図示しないクライアント端末からの印刷要求と印刷データとを含む印刷ジョブなどを受信する。表示管理部１０３は、詳細は後述するが、表示部１１１に対して後述のコピー、プリンター、スキャナー、ＦＡＸなどの設定に関わる内容などを表示させる。操作受付部１０４は、操作部１１０によるコピー、プリンター、スキャナー、ＦＡＸなどの設定操作などを受け付ける。
【００１４】
操作迷い検知部１０５は、表示部１１１に表示された各種設定メニューにおいて、ユーザーによる操作の迷いを検知する。操作の迷いを検知する場合、たとえば任意の設定項目からこの任意の設定項目に関連する次の設定項目に移動したものの、その設定項目での設定を行わずにそのまま元の設定項目に戻る操作を行ったことを確認することで行う。なお、戻る操作とは、他後述の戻るボタン２４０が操作されることである。設定情報管理部１０６は、詳細は後述するが、機能設定に関連する、たとえば第１下層設定メニューと、第１下層設定メニューに関連する第２下層設定メニューと、第１下層設定メニューの属性とを管理する。
【００１５】
画像形成部１０７は、たとえば図示しないクライアント端末からの印刷データに対し、画像処理（ラスタライズ）を行う。メモリー１０８には、図示しないクライアント端末からの印刷データなどが記憶される。また、メモリー１０８には、後述のコピー、プリンター、スキャナー、ＦＡＸなどの設定に関わる内容なども記憶される。
【００１６】
操作部１１０は、たとえばタッチパネルで構成されている。操作部１１０は、たとえば後述のコピー、プリンター、スキャナー、ＦＡＸなどの設定に関わる操作を行う際にタッチ操作される。
【００１７】
表示部１１１は、後述のコピー、プリンター、スキャナー、ＦＡＸなどの設定に関わる内容などを表示する。また、表示部１１１は、印刷すべき印刷データのファイル指定、ログインなどをガイドするメッセージ、ユーザーが印刷できる印刷データのファイルリストなども表示する。
【００１８】
スキャナー部１１２は、イメージセンサー（図示省略）によって読み取られる原稿の画像データを制御部１０１に入力する。すなわち、スキャナー部１１２は、イメージセンサー（図示省略）からの原稿の画像信号をデジタルの画像データに変換し、順次、制御部１０１に入力する。
【００１９】
プリンター部１１３は、制御部１０１から出力される画像データに基づき、用紙上に画像をプリントする。すなわち、プリンター部１１３は、制御部１０１から出力されるラスタライズされた画像データに基づく変調されたレーザー光により、感光体ドラム（図示省略）上に静電潜像を形成する。そして、トナーの供給による静電潜像によってトナー像が形成され、このトナー像が用紙に転写される。
【００２０】
ＦＡＸ部１１４は、制御部１０１から出力される画像データを、電話回線を通じ相手方となるファクシミリへと送信し、また、相手方のファクシミリからの画像データを受信して制御部１０１に入力する。すなわち、ＦＡＸ部１１４は、図示しないＮＣＵ（Ｎｅｔｗｏｒｋ  Ｃｏｎｔｒｏｌ  Ｕｎｉｔ）を介して電話回線との接続を制御しつつ、制御部１０１から出力される画像データを圧縮し変調して、相手方ファクシミリへと送信する。
【００２１】
また、ＦＡＸ部１１４は、ＮＣＵを介して電話回線と接続しつつ、相手方ファクシミリからの画像データを復調し伸張して、制御部１０１に入力する。Ｉ／Ｆ１１５は、図示しないネットワークに接続されており、図示しないクライアント端末、データ管理サーバー、携帯端末などとの間でのデータの送受信を可能としている。
【００２２】
なお、コピー機能のジョブでは、スキャナー部１１２からメモリー１０８へ画像データが入力され、メモリー１０８からプリンター部１１３へ画像データが出力される。プリント機能のジョブでは、画像形成部１０７によってラスタライズされた画像データがプリンター部１１３へ出力される。スキャナー機能のジョブでは、スキャナー部１１２からメモリー１０８へ画像データが入力され、メモリー１０８からＩ／Ｆ１１５へ画像データが出力される。
【００２３】
ファックス送信機能のジョブでは、スキャナー部１１２（又はＩ／Ｆ１１５）からメモリー１０８へ画像データが入力され、メモリー１０８からＦＡＸ部１１４へ画像データが出力される。ファックス受信機能のジョブでは、ＦＡＸ部１１４からメモリー１０８へ画像データが入力され、メモリー１０８からプリンター部１１３へ画像データが出力される。
【００２４】
次に、図２を参照し、表示管理部１０３による表示部１１１に表示される設定画面について説明する。なお、図２は、コピーの設定に関わる設定メニューが表示される場合の概要を示している。すなわち、表示部１１１に表示される設定画面２００には、たとえば機能設定表示エリア２１０と設定情報表示エリア２２０とが設けられている。なお、点線で囲った部分は、設定メニュー表示エリア２２０ａを示している。機能設定表示エリア２１０には、たとえばコピー設定項目２１１、プリンター設定項目２１２、スキャナー設定項目２１３、ＦＡＸ設定項目２１４などが表示されている。なお、図２では、説明の都合上、コピー設定項目２１１、プリンター設定項目２１２、スキャナー設定項目２１３、ＦＡＸ設定項目２１４を、単にコピー２１１、プリンター２１２、スキャナー２１３、ＦＡＸ２１４として示しているが、両者は同じものである。また、以下の説明でも同様である。
【００２５】
設定情報表示エリア２２０の設定メニュー表示エリア２２０ａには、たとえば原稿サイズ設定項目２２１、用紙設定項目２２２、コピー濃度設定項目２２３、拡大／縮小設定項目２２４、原稿サイズ混載設定項目２２５、原稿画質設定項目２２６、戻るボタン２４０が表示されている。なお、原稿サイズ設定項目２２１、用紙設定項目２２２、コピー濃度設定項目２２３、拡大／縮小設定項目２２４、原稿サイズ混載設定項目２２５、原稿画質設定項目２２６は、コピー設定項目２１１に関連する第１下層設定メニューである。すなわち、コピー設定項目２１１が操作されることで、これらの第１下層設定メニューが設定メニュー表示エリア２２０ａに表示される。また、これらの第１下層設定メニューのそれぞれの項目が操作されると、後述の第２下層設定メニューが設定メニュー表示エリア２２０ａに表示される。なお、図２では、説明の都合上、原稿サイズ設定項目２２１、用紙設定項目２２２、コピー濃度設定項目２２３、拡大／縮小設定２２４、原稿サイズ混載設定項目２２５、原稿画質設定項目２２６を、原稿サイズ設定項目２２１、用紙設定２２２、コピー濃度２２３、拡大／縮小２２４、原稿サイズ混載２２５、原稿画質２２６として示しているが、両者は同じものである。また、以下の説明でも同様である。
【００２６】
ここで、原稿サイズ設定項目２２１は、スキャナー部１１２によって読み込むための原稿のサイズを設定する際に操作されるものである。用紙設定項目２２２は、スキャナー部１１２によって読み込まれた画像データがプリンター部１１３によって印刷される用紙を設定する際に操作されるものである。コピー濃度設定項目２２３は、スキャナー部１１２によって読み込まれる原稿の濃度を設定する際に操作されるものである。
【００２７】
拡大／縮小設定項目２２４は、スキャナー部１１２によって読み込まれる原稿の拡大率又は縮小率を設定する際に操作されるものである。原稿サイズ混載設定項目２２５は、スキャナー部１１２によって異なるサイズの原稿を一度に読み込ませる設定を行う際に操作されるものである。原稿画質設定項目２２６は、スキャナー部１１２によって読み込まれる原稿の画質を設定する際に操作されるものである。戻るボタン２４０は、現在の表示状態から前の表示状態に戻る際に操作されるものである。
【００２８】
次に、図３を参照し、設定情報管理部１０６によって管理される設定情報についての概要を説明する。なお、図３は、コピー設定項目２１１に関連するものを示している。また、設定情報管理部１０６によって管理される設定情報は、上述したメモリー１０８に記憶されている。また、設定情報管理部１０６によって管理される設定情報は、たとえば機能設定に関連する第１下層設定メニューと、第１下層設定メニューに関連する第２下層設定メニューと、第１下層設定メニューの属性となっている。属性は、第１下層設定メニューに関連するものである。
【００２９】
まず、同図（ａ）は、第１下層設定メニューである原稿サイズ設定項目２２１に、第２下層設定メニューである原稿サイズ設定詳細メニュー２２１ａが関連している場合を示している。原稿サイズ設定詳細メニュー２２１ａは、原稿サイズ設定項目２２１が操作されると、表示管理部１０３により表示部１１１に表示される。ここで、原稿サイズ設定項目２２１は、上述したように、スキャナー部１１２によって読み込むための原稿のサイズを設定する際に操作されるものであり、第１下層設定メニューの原稿サイズ設定項目２２１に関わる属性は「読み込み」として設定されている。
【００３０】
次に、同図（ｂ）は、第１下層設定メニューである用紙設定項目２２２に、第２下層設定メニューである用紙設定詳細メニュー２２２ａが関連している場合を示している。用紙設定詳細メニュー２２２ａは、用紙設定項目２２２が操作されると、表示管理部１０３により表示部１１１に表示される。ここで、用紙設定項目２２２は、上述したように、スキャナー部１１２によって読み込まれた画像データがプリンター部１１３によって印刷される用紙を設定する際に操作されるものであり、第１下層設定メニューの用紙設定項目２２２に関わる属性は「出力」として設定されている。
【００３１】
次に、同図（ｃ）は、第１下層設定メニューであるコピー濃度設定項目２２３に、第２下層設定メニューであるコピー濃度詳細設定メニュー２２３ａが関連している場合を示している。コピー濃度詳細設定メニュー２２３ａは、コピー濃度設定項目２２３が操作されると、表示管理部１０３により表示部１１１に表示される。ここで、コピー濃度設定項目２２３は、上述したように、スキャナー部１１２によって読み込まれる原稿の濃度を設定する際に操作されるものであり、第１下層設定メニューのコピー濃度設定項目２２３に関わる属性は「出力」として設定されている。
【００３２】
次に、同図（ｄ）は、第１下層設定メニューである拡大／縮小設定項目２２４に、第２下層設定メニューである拡大／縮小詳細設定メニュー２２４ａが関連している場合を示している。拡大／縮小詳細設定メニュー２２４ａは、拡大／縮小設定項目２２４が操作されると、表示管理部１０３により表示部１１１に表示される。ここで、拡大／縮小設定項目２２４は、上述したように、スキャナー部１１２によって読み込まれる原稿の拡大率又は縮小率を設定する際に操作されるものであり、第１下層設定メニューの拡大／縮小設定項目２２４に関わる属性は「読み込み」として設定されている。
【００３３】
次に、同図（ｅ）は、第１下層設定メニューである原稿サイズ混載設定項目２２５に、第２下層設定メニューである原稿サイズ混載詳細設定メニュー２２５ａが関連している場合を示している。原稿サイズ混載詳細設定メニュー２２５ａは、原稿サイズ混載設定項目２２５が操作されると、表示管理部１０３により表示部１１１に表示される。ここで、原稿サイズ混載設定項目２２５は、上述したように、スキャナー部１１２によって異なるサイズの原稿を一度に読み込ませる設定を行う際に操作されるものであり、第１下層設定メニューの原稿サイズ混載設定項目２２５に関わる属性は「読み込み」として設定されている。
【００３４】
次に、同図（ｆ）は、第１下層設定メニューである原稿画質設定項目２２６に、第２下層設定メニューである原稿画質詳細設定メニュー２２６ａが関連している場合を示している。原稿画質詳細設定メニュー２２６ａは、原稿画質設定項目２２６が操作されると、表示管理部１０３により表示部１１１に表示される。ここで、原稿画質設定項目２２６は、上述したように、スキャナー部１１２によって読み込まれる原稿の画質を設定する際に操作されるものであり、原稿画質設定項目２２６に関わる属性は「読み込み」として設定されている。
【００３５】
なお、図３では、コピー設定項目２１１に関連する設定メニューとして第１下層設定メニュー及び第２下層設定メニューのみを示しているが、第２下層設定メニューに関連する第３下層設定メニューなどが存在する場合もある。ただし、ここではその図示及び説明を省略している。
【００３６】
また、図３では、コピー設定項目２１１に関連する設定メニューと、第１下層設定メニューに関連する属性についての概要を示しているが、プリンター設定項目２１２、スキャナー設定項目２１３、ＦＡＸ設定項目２１４に関連する設定メニューや属性についても上記同様にして設定情報管理部１０６により管理される。
【００３７】
次に、図４を参照し、操作迷い検知部１０５により、ユーザーによる操作の迷いが検知された場合の表示管理部１０３による表示部１１１での設定画面の表示例について説明する。なお、図４は、原稿サイズ設定項目２２１が操作されて原稿サイズ設定詳細メニュー２２１ａが表示部１１１に表示されたものの、原稿サイズ設定詳細メニュー２２１ａでの設定が行われず、たとえば図２の設定画面に戻った後の表示例である。
【００３８】
まず、同図に示すように、設定情報表示エリア２２０の設定メニュー表示エリア２２０ａには、拡大／縮小設定項目２２４、原稿画質設定項目２２６、原稿サイズ混載設定項目２２５、原稿サイズ設定項目２２１が表示される。ここで、これらの項目は、図３に示したように、設定に関わる属性がいずれも「読み込み」となっている。すなわち、設定に関わる属性が「読み込み」となっている原稿サイズ設定項目２２１が操作されて原稿サイズ設定詳細メニュー２２１ａが表示部１１１に表示されたものの、原稿サイズ設定詳細メニュー２２１ａでの設定が行われず、たとえば戻るボタン２４０が操作されて、たとえば図２の設定画面に戻ることがある。この場合、操作迷い検知部１０５により、ユーザーによる操作の迷いが検知さることで、原稿サイズ設定項目２２１に加え、属性が「読み込み」となっている他の拡大／縮小設定項目２２４、原稿画質設定項目２２６、原稿サイズ混載設定項目２２５も同時に表示される。
【００３９】
ただし、他の拡大／縮小設定項目２２４、原稿画質設定項目２２６、原稿サイズ混載設定項目２２５については、原稿サイズ設定項目２２１よりも目に付きやすい位置に表示される。これは、ユーザーが原稿サイズ設定項目２２１以外のものを設定しようとする可能性が高いためである。なお、目に付きやすい位置とは、人間の特性を加味した位置である。すなわち、複数の項目が上下に並べて配置されている場合、人間は「左から右」「上から下」というふうに見る習性があることに基づいたものである。
【００４０】
なお、他の拡大／縮小設定項目２２４、原稿画質設定項目２２６、原稿サイズ混載設定項目２２５については、点灯表示させたり、色付き表示させたりすることで、ユーザーによる操作の迷いがあった原稿サイズ設定項目２２１と区別して表示させるようにしてもよい。
【００４１】
また、図４では、原稿サイズ設定項目２２１についてのユーザーによる操作の迷いについて示しているが、用紙設定項目２２２、コピー濃度設定項目２２３、拡大／縮小設定項目２２４、原稿サイズ混載設定項目２２５、原稿画質設定項目２２６についても、上記同様に、ユーザーによる操作の迷いが検知された設定に関わる同じ属性の項目が表示される。
【００４２】
次に、図５を参照し、画像形成装置１００による表示処理について説明する。なお、以下では、コピー設定項目２１１の操作によって第１下層設定メニューが表示され、第１下層設定メニューの原稿サイズ設定項目２２１が操作されて第２下層設定メニューの原稿サイズ設定詳細メニュー２２１ａが表示されたものの、原稿サイズ設定詳細メニュー２２１ａでの設定が行われず、図２の設定画面２００に戻った場合を例にして説明する。
【００４３】
（ステップＳ１０１）
まず、制御部１０１は、操作受付部１０４によってコピー設定項目２１１の選択操作が受け付けられたかどうかを判断する。コピー設定項目２１１が選択されなければ（ステップＳ１０１：Ｎｏ）、コピー設定項目２１１の選択待ちとなる。コピー設定項目２１１が選択されると（ステップＳ１０１：Ｙｅｓ）、ステップＳ１０２に移る。
【００４４】
（ステップＳ１０２）
表示管理部１０３は、表示部１１１の設定情報表示エリア２２０の設定メニュー表示エリア２２０ａに、図２に示した第１下層設定メニューを表示させる。この第１下層設定メニューは、上述したように、コピー設定項目２１１に関連するものであり、原稿サイズ設定項目２２１、用紙設定項目２２２、コピー濃度設定項目２２３、拡大／縮小設定項目２２４、原稿サイズ混載設定項目２２５、原稿画質設定項目２２６が含まれている。
【００４５】
（ステップＳ１０３）
制御部１０１は、操作受付部１０４によって第１下層設定メニューの原稿サイズ設定項目２２１の操作が受け付けられたかどうかを判断する。原稿サイズ設定項目２２１の操作が受け付けられなければ（ステップＳ１０３：Ｎｏ）、受け付け待ちとなる。原稿サイズ設定項目２２１の操作が受け付けられると（ステップＳ１０３：Ｙｅｓ）、ステップＳ１０４に移る。
【００４６】
（ステップＳ１０４）
表示管理部１０３は、表示部１１１の設定情報表示エリア２２０の設定メニュー表示エリア２２０ａに、図３で説明した第２下層設定メニューを表示させる。この第２下層設定メニューは、上述したように、第１下層設定メニューに関連したものであり、原稿サイズ設定詳細メニュー２２１ａ、用紙設定詳細メニュー２２２ａ、コピー濃度詳細設定メニュー２２３ａ、拡大／縮小詳細設定メニュー２２４ａ、原稿サイズ混載詳細設定メニュー２２５ａ、原稿画質詳細設定メニュー２２６ａが含まれている。
【００４７】
（ステップＳ１０５）
制御部１０１は、原稿サイズ設定詳細メニュー２２１ａでの設定が有ったかどうかを判断する。原稿サイズ設定詳細メニュー２２１ａでの設定が有れば（ステップＳ１０５：Ｙｅｓ）、ステップＳ１０６に移る。原稿サイズ設定詳細メニュー２２１ａでの設定が無ければ（ステップＳ１０５：Ｎｏ）、ステップＳ１０７に移る。
【００４８】
（ステップＳ１０６）
制御部１０１は、原稿サイズ設定詳細メニュー２２１ａでの設定に基づいて、スキャナー部１１２による原稿の読み込みを実行させる。
【００４９】
（ステップＳ１０７）
操作迷い検知部１０５は、原稿サイズ設定詳細メニュー２２１ａが表示されている設定画面から図２に示した第１下層設定メニューが表示されている設定画面に戻ったかどうかを判断する。第１下層設定メニューが表示されている設定画面に戻っていなければ、ステップＳ１０５に移る。第１下層設定メニューが表示されている設定画面に戻っていれば、操作の迷いを検知し、ステップＳ１０８に移る。
【００５０】
（ステップＳ１０８）
設定情報管理部１０６は、操作迷い検知部１０５からの検知結果に基づき、第１下層設定メニューの原稿サイズ設定項目２２１と同じ属性の設定項目を検索する。この場合、原稿サイズ設定項目２２１の属性は、「読み込み」であるため、同じ属性の拡大／縮小設定項目２２４、原稿画質設定項目２２６、原稿サイズ混載設定項目２２５が検索される。そして、ステップＳ１０９に移る。
【００５１】
（ステップＳ１０９）
表示管理部１０３は、表示部１１１に対し、設定情報管理部１０６によって検索された属性が「読み込み」となっている原稿サイズ設定項目２２１に加え、他の拡大／縮小設定項目２２４、原稿画質設定項目２２６、原稿サイズ混載設定項目２２５も同時に表示させる。この場合、上述したように、他の拡大／縮小設定項目２２４、原稿画質設定項目２２６、原稿サイズ混載設定項目２２５については、原稿サイズ設定項目２２１よりも目に付きやすい位置に表示させる。
【００５２】
このように、本実施形態では、表示管理部１０３は、表示部１１１に対して各種設定に関わる第１の設定項目（第１下層設定メニュー）と該第１の設定項目（第１下層設定メニュー）に関連する詳細設定メニュー（第２下層設定メニュー）とを表示し、操作受付部１０４は、第１の設定項目（第１下層設定メニュー）又は詳細設定メニュー（第２下層設定メニュー）の操作を受け付ける。操作迷い検知部１０５が、詳細設定メニュー（第２下層設定メニュー）での設定が行われず、第１の設定項目（第１下層設定メニュー）に戻ったことを確認することで第１の設定項目（第１下層設定メニュー）の操作の迷いを検知すると、表示管理部１０３は、操作迷い検知部１０５による第１の設定項目（第１下層設定メニュー）の操作の迷いの検知結果に基づき、操作受付部１０４によって受け付けられた第１の設定項目（第１下層設定メニュー）と、該第１の設定項目（第１下層設定メニュー）に関連する第２の設定項目（第１下層設定メニュー）とを表示部１１１に表示させる。これにより、設定しようとしている項目に関連する設定項目の検索が容易となることから、設定に手間取ってしまうことを解消することができる。これにより、設定しようとしている項目に関連する設定項目の検索が容易となることから、設定に手間取ってしまうことを解消することができる。
【００５３】
更に、設定情報管理部１０６は、第１又は第２の設定項目である機能設定に関連する第１下層設定メニューと、詳細設定メニューである第２下層設定メニューと、第１下層設定メニューの属性とを管理し、設定情報管理部１０６は、操作迷い検知部１０５による検知結果に基づき、操作受付部１０４によって受け付けられた第１下層設定メニューと同じ属性を有する他の前記第１下層設定メニューを検索し、表示管理部１０３は、操作受付部１０４によって受け付けられた第１下層設定メニューと、該第１下層設定メニューと同じ属性を有する他の第１下層設定メニューとを表示部１１１に表示させる。
【００５４】
また、本実施形態では、表示管理部１０３は、第１の設定項目（第１下層設定メニュー）に関連する第２の設定項目（第１下層設定メニュー）を、第１の設定項目に対して上方又は左方に表示させるため、設定しようとしている項目に関連する設定項目を、上述したように、目に付きやすい位置に配置することができる。
【００５５】
なお、本実施形態では、本発明の電子機器を画像形成装置１００に適用した場合として説明したが、この例に限らず、カーナビゲーション、ＰＣ（ｐｅｒｓｏｎａｌ  ｃｏｍｐｕｔｅｒ）、携帯端末などのように、各種設定項目を有する他の電子機器にも適用可能である。
【符号の説明】
【００５６】
１００  画像形成装置
１０１  制御部
１０２  通信管理部
１０３  表示管理部
１０４  操作受付部
１０５  操作迷い検知部
１０６  設定情報管理部
１０７  画像形成部
１０８  メモリー
１１０  操作部
１１１  表示部
１１２  スキャナー部
１１３  プリンター部
１１４  ＦＡＸ部
１１５  Ｉ／Ｆ
２００  設定画面
２１０  機能設定表示エリア
２１１  コピー設定項目
２１２  プリンター設定項目
２１３  スキャナー設定項目
２１４  ＦＡＸ設定項目
２２０  設定情報表示エリア
２２０ａ  設定メニュー表示エリア
２２１  原稿サイズ設定項目
２２１ａ  原稿サイズ設定詳細メニュー
２２２  用紙設定項目
２２２ａ  用紙設定詳細メニュー
２２３  コピー濃度設定項目
２２３ａ  コピー濃度詳細設定メニュー
２２４  拡大／縮小設定項目
２２４ａ  拡大／縮小詳細設定メニュー
２２５  原稿サイズ混載設定項目
２２５ａ  原稿サイズ混載詳細設定メニュー
２２６  原稿画質設定項目
２２６ａ  原稿画質詳細設定メニュー
２４０  戻るボタン
【図１】
2016035648.tif 000003
【図２】
2016035648.tif 000004
【図３】
2016035648.tif 000005
【図４】
2016035648.tif 000006
【図５】
2016035648.tif 000007